(57)【要約】【課題】この発明は、架線の切断対象部位の切断作業や切断後の作業を簡易に且つ少ない人数行うことができ、架線の切断対象部位を切断するときに、間接活線用工具で保持しなくても架線の縁線が跳ねるのを防止することが可能な電線の支持及び張緩用器具を提供することを目的とする。【解決手段】支持具５は、引き掛け部本体６１と受け部６２とで成る引き掛け部材６と、架線Ａの脱落を防止する脱落防止片７とを有したものとする。そして、脱落防止片７は、引き掛け部材６に設けられた収納空間Ｓの開口部Ｓ１からの架線Ａの脱落防止を図るもので、引き掛け部本体６１の基部６１１の延びる方向に沿って変位すると共に、架線Ａを受け部６２側に押すための押し部材８が設けられたものとする。これにより、脱落防止片７で引き掛け部材６の収納空間Ｓの開口部Ｓ１からの架線Ａの脱落防止のための操作で、架線Ａを受け部６２側に押し下げ、架線Ａを下方に湾曲させることができる。【選択図】図４
2017070136.tif 000002
【特許請求の範囲】
【請求項１】
架線を掴持する一対の掴線器と、
長尺体を成すと共に長手方向の一方に連結部の一方が設けられて前記一対の掴線器の一方の掴線器と連結され、長手方向の他方に連結部の他方が設けられて前記一対の掴線器の他方の連結部と連結され、前記一方の掴線器と前記他方の掴線器とが遠近する方向に伸縮する伸縮器と、
前記伸縮器に外装されると共に前記架線を支持する一対の支持具とを備え、
前記支持具は、前記架線に引き掛けるための引き掛け部材と、この引き掛け部材からの前記架線の脱落を防止するための脱落防止片とを有し、
前記引き掛け部材は、上下方向に延びる基部及び前記基部の上方に配置されて、前記架線の上側に引き掛けるための上方に窪んだ凹部を有するヘッドから成る引き掛け部本体と、前記基部の下方に配置されて前記架線の下側に接する受け部とを有し、前記ヘッドの凹部の内周面、前記基部の側面及び前記受け部の上面により前記架線を収納する収納空間が形成されていると共に、前記収納空間に前記架線を導く開口部が前記基部とは反対側に開口し、
前記脱落防止片は、前記引き掛け部材の基部の延びる方向に沿って変位することができると共に、前記架線を前記受け部側に押すための押し部材が設けられていることを特徴とする電線の支持及び張緩用器具。
【請求項２】
前記受け部は、少なくとも前記ヘッド部側に開口して、前記脱落防止片が挿入される取付孔と、前記取付孔と交差する方向に延びて、前記引き掛け部材の基部の反対側に開口する挿入孔とが形成され、
前記脱落防止片は、当該脱落防止片が変位する方向と交差する方向に延びる通孔が形成されていると共に、
前記脱落防止片の通孔と前記受け部の挿入孔とが一致した状態で、前記挿入孔から前記脱落防止片の通孔に達するまで挿入することができる固定具を有し、
前記固定具が前記脱落防止片の通孔から前記受け部の挿入孔まで挿入されることで、前記脱落防止片が前記受け部に固定されることを特徴とする請求項１に記載の電線の支持及び張緩用器具。
【請求項３】
前記伸縮器は、第１の軸棒とこの第１の軸棒と同じ高さにて並行して延びる第２の軸棒とにより成る二軸部を有し、前記２つの軸棒間の幅は、前記架線の径方向寸法よりも大きいと共に、前記軸棒間の幅が前記支持具のヘッドの凹部の下方に配置されていることを特徴とする請求項１又は請求項２に記載の電線の支持及び張緩用器具。
【発明の詳細な説明】
【技術分野】
【０００１】
本発明は、架線を架空状態のまま切断するために架線の切断する箇所の両側を支持した後に架線の切断する部位を弛緩するために用いる器具に関する。
【背景技術】
【０００２】
架線を架空状態のまま切断する作業を行う場合には、例えば特許文献１や特許文献２に示される電線の支持及び張緩用器具（ストレインロッドとも称される。）が用いられる。
【０００３】
特許文献１及び特許文献２に示される電線の支持及び張緩用器具について概説すると、架線を掴むための一対の掴線器と、これらの掴線器に連結具を介して連結された長尺体の伸縮器と、伸縮器の長手方向の一方端側に設けられた操作部を操作することにより、伸縮器の長手方向寸法を伸縮させる構成となっている。そして、特許文献２の電線支持具では、伸縮器に外装されると共に架線を支持する一対の支持具を更に有する。この支持具は、一方の側方の開口部を有する略Ｃ字状の支持本体と、支持本体の開口部を閉塞する閉止片とを有し、支持本体の開口部内に架線を導入した後、支持本体の開口部を閉止片で閉塞することにより、架線を支持する構成となっている。
【０００４】
これらの特許文献１、特許文献２の電線の支持及び張緩用器具を用いることにより、一方の掴線器で架線の所定の部位を掴むと共に他方の掴線器で架線の所定の部位を掴み、更に、架線の掴線器間の部位を一対の支持具で支持した後、操作部を操作して、伸縮器の長手方向寸法を収縮し、一方の掴線器と他方の掴線器とを近接させ、架線の掴線器よりも外側では架線を張った状態としつつ、架線の一方の掴線器と他方の掴線器との間の部位では弛緩させて、この架線の弛緩した部位を間接活線用切断工具で切断する作業が行われる。
【先行技術文献】
【特許文献】
【０００５】
【特許文献１】特開２０００−８３３０９号公報
【特許文献２】特開２０１０−５１０８１号公報
【発明の概要】
【発明が解決しようとする課題】
【０００６】
特許文献１の電線の支持及び張緩用器具では、当該特許文献１の図１に示されるように、架線の一方の掴線器と他方の掴線器との間の架線を切断する部位を弛緩させるときに、架線の切断対象部位が上方に湾曲するようにしている。しかしながら、このように架線の切断対象部位が上方に湾曲すると、架線の切断対象部位を切断するための作業位置も高くなり、間接活線用切断工具を安全に操作することができるように、絶縁防具の取り付け範囲を広げなければならない。
【０００７】
また、架線の切断対象部位よりも下方でしかも架線と並行して特許文献１の電線の支持及び張緩用器具の伸縮器が位置するので、架線の切断対象部位を切断する際に、伸縮器が作業の妨げとなり、且つ、伸縮器が油圧カッター等の間接活線用切断工具により損傷するおそれがある。更に、架線の切断後の縁に端末キャップを装着するところ、架線の切断対象部位が上方を向いていると、架線の切断後の縁も上方を向くので、架線の縁への端末キャップの装着が困難になる。
【０００８】
特許文献２の電線の支持及び張緩用器具は、支持具で架線を支持しているが、支持具は、伸縮器よりも上方に位置し、且つ、支持具の支持本体の上方の円弧部分の内周面に架線の上方が当接することにより架線を引き掛けるので、特許文献１の図１のように、架線の一方の掴線器と他方の掴線器との間の部位を弛緩させるときに、架線は支持具の収納空間内では上方に変位してしまい、架線の切断対象部位が上方に湾曲してしまうことがある。
【０００９】
また、架線は充電したまま（活線状態）であるので、架線の切断対象部位を間接活線用切断工具で切断する際に、架線の縁が急に跳ねると、作業員が身の危険を感じたりして、作業に支障が生ずる。従って、特許文献１、特許文献２のいずれの電線支持具においても、架線の切断対象部位を切断するときに、架線の切断作業を行う作業員とは別の作業員が、支持具の下方の環状部に２つのトング等の間接活線用工具を差し込んで、支持具を保持する等して、架線の縁が跳ねないようにする必要がある。
【００１０】
そこで、本発明は、架線の切断対象部位の切断作業や切断後の作業を簡易に且つ少ない人数で行うことができ、架線の切断対象部位を切断するときに、間接活線用工具で保持しなくても架線の縁が跳ねるのを防ぐことのできる電線の支持及び張緩用器具を提供することを目的としている。
【課題を解決するための手段】
【００１１】
本発明に係る電線の支持及び張緩用器具は、架線を掴持する一対の掴線器と、長尺体を成すと共に長手方向の一方に連結部の一方が設けられて前記一対の掴線器の一方の掴線器と連結され、長手方向の他方に連結部の他方が設けられて前記一対の掴線器の他方の連結部と連結され、前記一方の掴線器と前記他方の掴線器とが遠近する方向に伸縮する伸縮器と、前記伸縮器に外装されると共に前記架線を支持する一対の支持具とを備え、前記支持具は、前記架線に引き掛けるための引き掛け部材と、この引き掛け部材からの前記架線の脱落を防止するための脱落防止片とを有し、前記引き掛け部材は、上下方向に延びる基部及び前記基部の上方に配置されて、前記架線の上側に引き掛けるための上方に窪んだ凹部を有するヘッドから成る引き掛け部本体と、前記基部の下方に配置されて前記架線の下側に接する受け部とを有し、前記ヘッドの凹部の内周面、前記基部の側面及び前記受け部の上面により前記架線を収納する収納空間が形成されていると共に、前記収納空間に前記架線を導く開口部が前記基部とは反対側に開口し、前記脱落防止片は、前記引き掛け部材の基部の延びる方向に沿って変位することができると共に、前記架線を前記受け部側に押すための押し部材が設けられていることを特徴としている（請求項１）。押し部材には、例えばバインド打ち器等の間接活線用工具の引き掛け手段が引き掛けられる環状部が設けられている。
【００１２】
これにより、２つの支持具について、押し部材が引き掛け部材のヘッドよりも上方に位置した状態となるように脱落防止片を上方に変位させて、架線を引き掛け部材の収納空間に導いて、引き掛け部材のヘッドの凹部を架線の上側に接した状態とした後、押し部材を引き下げることで、引き掛け部材自体も同時に下方に変位させることができる。そして、脱落防止片が下方に変位すると、脱落防止片の下端部が受け部の貫通孔に挿通して脱落防止片により引き掛け部材の収納空間の開口部からの架線の脱落防止が図られる。更に、押し部材を引き下げることで、押し部材は受け部側に近接していくので、架線のうち掴線器間の切断対象部位に当たってその切断対象部位を受け部側に押し下げることができる。これにより、架線のうち掴線器間の切断対象部位を下方に湾曲させることが可能となる。
【００１３】
本発明に係る電線の支持及び張緩用器具では、前記受け部は、少なくとも前記ヘッド部側に開口して、前記脱落防止片が挿入される取付孔と、前記取付孔と交差する方向に延びて、前記引き掛け部材の基部の反対側に開口する挿入孔とが形成され、前記脱落防止片は、当該脱落防止片が変位する方向と交差する方向に延びる通孔が形成されていると共に、前記脱落防止片の通孔と前記受け部の挿入孔とが一致した状態で、前記挿入孔から前記脱落防止片の通孔に達するまで挿入することができる固定具を有し、前記固定具が前記脱落防止片の通孔から前記受け部の挿入孔まで挿入されることで、前記脱落防止片が前記受け部に固定されることを特徴としている（請求項２）。固定具は、例えばピン等であって、受け部との間にバネ等の弾性部材が介在しており、弾性部材は、受け部の挿入孔と脱落防止片の通孔とが固定具の軸方向の先端で連通したときに、固定具を受け部の挿入孔と脱落防止片の通孔との連通孔内に押し出すように、固定具を付勢している。
【００１４】
これにより、支持具の受け部と脱落防止片の押し部材との間に架線が配置された状態が固定されるので、架線のうち掴線器間の切断対象部位を切断しても、架線が押し部材に当たることから、架線の縁が切断された瞬間に跳ねてしまうことが抑制される。
【００１５】
本発明に係る電線の支持及び張緩用器具では、前記伸縮器は、第１の軸棒とこの第１の軸棒と同じ高さにて並行して延びる第２の軸棒とにより成る二軸部を有し、前記２つの軸棒間の幅は、前記架線の径方向寸法よりも大きいと共に、前記軸棒間の幅が前記支持具のヘッドの凹部の下方に配置されていることを特徴としている（請求項３）。
【００１６】
これにより、架線を下方に湾曲させるときに、伸縮器の二軸部では、２つの軸棒の間を通ってこれらの２つの軸棒よりも垂下することで、架線のうち軸棒よりも垂下した位置にある掴線器間の切断対象部位を切断することとなる。従って、掴線器間の切断対象部位を切断することで、架線の縁が跳ね上がろうとしても、架線の縁は伸縮器の二軸部の２つの軸棒に当たるので、架線の縁の跳ねを抑制することができる。
【発明の効果】
【００１７】
以上のように、本発明に係る電線の支持及び張緩用器具によれば、２つの支持具について、押し部材が引き掛け部材のヘッドよりも上方に位置した状態となるように脱落防止片を上方に変位させて、架線を引き掛け部材の収納空間に導いて、引き掛け部材のヘッドの凹部を架線の上側に接した状態とした後、押し部材を引き下げることで、引き掛け部材自体も同時に下方に変位させることができる。そして、脱落防止片が下方に変位することにより、脱落防止片の下端部が受け部の貫通孔に挿通して脱落防止片により引き掛け部材の収納空間の開口部からの架線の脱落防止が図られる。更に、押し部材を引き下げることにより、押し部材は受け部側に近接していくので、架線のうち掴線器間の切断対象部位に当たってその切断対象部位を受け部側に押し下げることができる。これにより、架線のうち掴線器間の切断対象部位を下方に湾曲させることが可能となる。
【００１８】
よって、架線のうち掴線器間の切断対象部位の位置が伸縮器よりも低くなるので、架線の切断作業のときに、伸縮器が作業の妨げとなることがなくなり、伸縮器が破損することも防止される。また、架線の切断後の各縁が下方に向いた状態となるので、架線の縁への端末キャップの装着も簡易に行うことができる。
【００１９】
特に、請求項２に係る電線の支持及び張緩用器具によれば、支持具の受け部と脱落防止片の押し部材との間に架線を挟んだ状態が保持されるので、架線のうち掴線器間の切断対象部位を切断しても、架線が押し部材に当たることから、架線の縁が切断された瞬間に跳ねてしまうことが抑制される。よって、作業員が身の危険を感じることが防止され、支持具の下方の環状部に２つのトング等の間接活線用工具を引き掛けて、支持具を下方から支持する等して、架線の縁の跳ねを防止することが不要となり、必要とされる作業員の数を減ずることができる。
【００２０】
特に、請求項３に係る電線の支持及び張緩用器具によれば、架線を下方に湾曲させるときに、伸縮器の二軸部では、２つの軸棒の間を通ってこれらの２つの軸棒よりも垂下することで、架線のうち軸棒よりも垂下した位置にある掴線器間の切断対象部位を切断することとなる。従って、掴線器間の切断対象部位を切断することで、架線の縁が跳ね上がろうとしても、架線の縁は伸縮器の二軸部の２つの軸棒に当たるので、架線の縁の跳ねを抑制することができる。よって、請求項３に係る電線の支持及び張緩用器具でも、作業員が身の危険を感ずることが防止され、支持具の下方の環状部に２つのトング等の間接活線用工具を引き掛けて、支持具を下方から支持する等して、架線の縁の跳ねを防止することが不要となり、必要とされる作業員の数を減ずることができる。
【図面の簡単な説明】
【００２１】
【図１】図１は、この発明の電線の支持及び張緩用器具の全体構成を示す説明図である。
【図２】図２は、前記電線の支持及び張緩用器具を構成する支持具を示す説明図である。
【図３】図３は、前記支持具の収納空間に架線が収納可能な状態を示した説明図であり、図３（ａ）は前記支持具の正面図、図３（ｂ）は前記支持具の側面図、図３（ｃ）は前記支持具の平面図である。
【図４】図４は、前記支持具の収納空間から架線が離脱不可能な状態で且つ脱落防止片の押し部材で架線を下方に押した状態示した説明図であり、図４（ａ）は前記支持具の正面図、図４（ｂ）は前記支持具の側面図である。
【図５】図５は、前記支持具の受け部に脱落防止片が固定される動作を示す断面図であり、図５（ａ）は、脱落防止片が固定具を押す前の状態を示し、図５（ｂ）は、脱落防止片が固定具を固定の解除方向に押した状態を示し、図５（ｃ）は脱落防止片の孔に固定具が装着されて前記支持具の受け部に脱落防止片が固定された状態を示す。
【図６】図６は、架線を一対の掴線器で掴み、支持具を架線に引き掛けた後、伸縮器を収縮させつつ押し部材で架線を押し下げることで、架線の掴線器間の切断対象部位を下方に湾曲させた状態を示す説明図である。
【図７】図７は、伸縮器の二軸部とした部分を示す平面図である。
【発明を実施するための形態】
【００２２】
以下、本発明の実施例について添付図面を参照しながら説明する。
【００２３】
この発明の電線の支持及び張緩用器具１は、例えば、電柱間に架設された通電状態の電線（以下、架線）Ａを切断する間接活線作業に用いられる間接活線用工具である。電線の支持及び張緩用器具１は、図１及び図６に示されるように、伸縮自在な長尺の伸縮器２と、伸縮器２の長手方向の一端に取り付けられた掴線器３と、伸縮器２の長手方向の他端に取り付けられた掴線器４と、伸縮器の所定部位に外装された一対の支持具５、５とで基本的に構成されている。
【００２４】
伸縮器２は、図１及び図６に示されるように、握部２１と、握部２１の一端と連結されたホルダー部２２と、ホルダー部２２に出入自在に装着された伸縮部２３とを備える。
【００２５】
握部２１は、ホルダー部２２とは反対側となる他端に連結部２１１を有し、掴線器３の連結機構３１と連結可能になっている。また、握部２１は、回転操作部２１２を有している。回転操作部２１２は、例えば図示しない共用操作棒等の間接活線用工具を装着した後、間接活線用工具を回転させることにより、回転操作部２１２の回転が握部２１に内蔵された送りねじ機構（図示せず）に伝達され、この送りねじ機構が作動することで、伸縮部２３がホルダー部２２に出入りする。
【００２６】
ホルダー部２２は、握部２１とは反対側に開口した直線状の孔部を有しており、この開口から孔部内に伸縮部２３の一部又が挿入するようになっている。そして、この実施例では、下記する一対の支持具５の一方が外装される。
【００２７】
伸縮部２３は、ホルダー部２２の孔部の内径寸法より僅かに小さな外径寸法を有する伸縮部本体２３１と、伸縮部本体２３１のホルダー部２２とは反対側に配置された大径部２３２とを備えている。そして、伸縮部２３は、大径部２３２の伸縮部本体２３１とは反対側に連結部２３３を有し、掴線器４の連結機構４１と連結可能になっている。これにより、掴線器４は、その使用時において、連結部２３３と連結機構４１との連結部位を中心として、例えは９０度の角度にて、上下に揺動することができる。この実施例では、大径部２３２に下記する一対の支持具５の他方が外装される。すなわち、ホルダー部２２の外径と大径部２３２の外径とは例えば同じ寸法になっている。
【００２８】
掴線器３、４は、いずれも公知のもので、図１及び図６に示されるように、架線Ａを当該架線Ａの径方向の両側から挟む挟持部を有する挟持体３２、４２と、この挟持体３２、４２に連結された駆動アーム３３、４３とを有する。駆動アーム３３、４３の先端に前述した連結機構３１、４１が設けられている。これらの連結機構３１、４１に引っ張り力が作用すると駆動アーム３３、３４が挟持体３２、４２の挟持部を相互に近接する方向に駆動して、挟持体３２、４２により架線Ａを強固に挟持することができるようになっている。
【００２９】
各支持具５は、図１及び図６に示されるように、掴線器３と掴線器４との間に配されるものであり、図２、架線Ａに引き掛けるための引き掛け部材６と、この引き掛け部材６からの架線Ａの脱落を防止するための脱落防止片７とを有する。なお、引き掛け部材６及び脱落防止片７の構成は後述する。
【００３０】
このような電線の支持及び張緩用器具１の構成とすることにより、架線Ａを切断する場合には、まず、各掴線器３、４を適宜に挟持させて、掴線器３、４を所定の間隔を開けて架線Ａに固定する工程がなされ、次に、回転操作部２１２を操作することで、伸縮部２３を伸縮させて、掴線器３と掴線器４とを相対的に近接させ、掴線器３と掴線器４との間を湾曲させる工程がなされ、更に、架線Ａの掴線器３と掴線器４との間の湾曲した部位を、油圧カッター等の間接活線用切断工具にて切断する工程がなされる。
【００３１】
これにより、架線Ａの掴線器３、４よりも外側の部位では張った状態を維持しつつ、掴線器３、４間では架線Ａを弛緩させ、この架線の弛緩させた部位を切断対象部位として、油圧カッター等の間接活線用切断工具で切断することが可能である。
【００３２】
支持具５の引き掛け部材６は、この実施例では、図２から図４に示されるように、２つの引き掛け部本体６１、６１と、受け部６２とを有して構成されている。
【００３３】
各引き掛け部本体６１は、上下方向に略直線状に延びる基部６１１と、基部６１１の上端に有する円弧状のヘッド６１２とで構成されており、全体で略逆Ｊの字状となっている。これに伴い、ヘッド６１２の内側面は、上方に窪んだ円弧状の凹部となって、架線Ａの上側が当接することができる。そして、２つの引き掛け部本体６１は、それぞれのヘッド６１２の先端近傍棒において、他の引き掛け部本体６１のヘッド６１２と対峙する面に突部６１３が形成され、下記する脱落防止片７の溝部７１に係合することができる。
【００３４】
受け部６２は、この実施例では、引き掛け部本体６１と一体形成されており、架線Ａの下側が接する架線当接面６２１と、架線当接面６２１とは反対側に位置する下面６２２と、架線当接面６２１と下面６２２とを連接する立面６２３とを有する。また、受け部６２は、伸縮器２のホルダー部２２又は伸縮部２３の大径部２３２が挿通可能な貫通した装着孔６２４が形成されている。更に、受け部６２は、図３（ｂ）及び図４（ｂ）に示されるように、少なくとも架線当接面６２１に開口した（この実施例では、下面６２２にも開口した）脱落防止片７が挿入される取付孔６２５が形成されている。更にまた、受け部６２は、立面６２３から取付孔６２５と直交する方向に延びる挿入孔６２６が形成されており、挿入孔６２６の先端は取付孔６２５と連通している。取付孔６２５には下記するコイルバネ１２が外装された固定具１１が挿入される。
【００３５】
そして、引き掛け部材６は、図２、図３（ｂ）及び図４（ｂ）に示されるように、ヘッド６１２の内周面、基部６１１の側面及び受け部６２の架線当接面６２１により架線Ａを収納する収納空間Ｓが形成されていると共に、ヘッド６１２の先端と受け部６２の架線当接面６２１との間に、側方に開口するかたちで収納空間Ｓの開口部Ｓ１が形成されている。
【００３６】
脱落防止片７は、収納空間Ｓに収納された架線Ａが脱落するのを防止するためのものであり、この実施例では、上下方向に延びた平らなプレート状のものである。この脱落防止片７は、横幅（左右方向幅）が引き掛け部本体６１、６１間の幅より若干小さな寸法となっていると共に、その縦幅（上下幅）は、当該脱落防止片７の下端が受け部６２の取付孔６２５に適宜に挿入され、固定されたときに、側方（架線Ａの軸方向）から見て、ヘッド６１２の先端と受け部６２の架線当接面６２１との間の開口部を閉塞することができる寸法となっている。
【００３７】
また、脱落防止片７は、引き掛け部本体６１、６１と対峙する両方の立面に縦方向（上下方向）に直線状に延びる溝部７１が形成され、引き掛け部本体６１の突部６１３に係合することで、上下方向に変位して、受け部６２に遠近させることができる。更に、脱落防止片７は、図２、図３及び図５に示されるように、下端部近傍に下記する固定具１１が挿通可能な内径の通孔７２が形成されている。この通孔７２は、引き掛け部本体６１の基部６１１とは反対側から基部６１１側に貫通している。そして、この実施例では、脱落防止片７の通孔７２よりも下側の下端部７３は、受け部６２の立面６２３とは反対側に向けて徐々に傾斜して細くなって楔状をなしている。
【００３８】
支持具５の押し部材８は、架線Ａを押し下げるためのもので、この実施例では、図２から図４に示されるように、脱落防止片７の収納空間Ｓ側に向いた立面から当該収納空間Ｓ内に向けて延びた平らなプレート状のものとなっており、脱落防止片７と一体形成されている。押し部材８の横幅（左右方向幅）は、脱落防止片７の横幅と同様に、引き掛け部本体６１、６１間の幅より若干小さな寸法となっている。
【００３９】
更に、脱落防止片７は、この実施例では、脱落防止片７の収納空間Ｓとは反対側の立面から押し部材８とは対称方向に延びる突出部９を有しており、この突出部９の突出方向の端部にはバインド打ち器等の間接活線用工具を引き掛けることが可能な環状部１０が取り付けられている。
【００４０】
そして、受け部６２の取付孔６２５、挿入孔６２６、脱落防止片７の通孔７２、下端部７３、固定具１１、固定具１１に外装されたコイルバネ１２により、脱落防止片７の受け部６２への固定機構が構成されている。固定具１１は、頭部１１１と軸部１１２とで構成されており、頭部１１１の外径は挿入孔６２６の内径よりも大きく、軸部１１２は挿入孔６２６の内径よりも若干小さくなっていると共にその軸方向寸法は挿入孔６２６の軸方向寸法及び取付孔６２５の内径寸法よりも大きくなっている。コイルバネ１２は、固定具１１の軸部１１２を挿入孔６２６の挿入方向に付勢している。
【００４１】
脱落防止片７により支持具５の開口部Ｓを閉塞する必要がない場合には、図５（ａ）に示されるように、固定具１１の軸部１１２は、コイルバネ１２の付勢力により先端が取付孔６２５内にあり、更には、取付孔６２５の側面に接している場合もある。そして、脱落防止片７を下方に変位させて、脱落防止片７の下端側を受け部６２の取付孔６２５に挿入していくと、図５（ａ）から図５（ｂ）に示されるように、脱落防止片７の下端部７３が、固定具１１の軸部１１２を、コイルバネ１２の付勢力に抗するかたちで、挿入孔６２６の開口側に押し出してゆく。更に、脱落防止片７を、受け部６２の取付孔６２５に、より一層挿入していくと、脱落防止片７の通孔７２と挿入孔６２６とが連通するので、図５（ｃ）に示されるように、固定具１１は、コイルバネ１２の付勢力により、先端が少なくとも取付孔６２５内に達するまで挿入される。これにより、脱落防止片７を受け部６２の取付孔６２５に挿入するのみで、脱落防止片７は受け部６２に固定される。なお、脱落防止片７の受け部６２への固定の解除は、固定具１１の頭部１１１を持って引っ張れば良く、これにより、脱落防止片７は、架線Ａの上方に変位しようとする力により、受け部６２の取付孔６２５から引き出される。
【００４２】
以上の電線の支持及び張緩用器具１の構成によれば、架線Ａのうち掴線器３、４間の切断対象部位を下方に湾曲させる工程は、例えば以下の手順により行われる。
【００４３】
まず、一対の掴線器３、４で架線Ａを固定した後、図２及び図３に示されるように、押し部材８が引き掛け部材６のヘッド６１２よりも上方に位置した状態となるように脱落防止片を上方に変位させた状態として、架線Ａを引き掛け部材６の収納空間Ｓに導いて、引き掛け部材６のヘッド６１２を架線Ａの上側に接した状態とする。
【００４４】
次に、環状部１０にバインド打ち器等の間接活線用工具の引き掛け手段を引き掛けて、押し部材８を引き下げて、脱落防止片７も一緒に下方に変位させてく。これにより、脱落防止片７が引き掛け部材６の収納空間の開口部Ｓ１を閉塞し、引き掛け部材の収納空間Ｓに収納された架線Ａの脱落防止が図られる。しかも、押し部材８を引き下げることで、押し部材８は受け部６２側に近接していくので、架線Ａのうち掴線器３、４間の切断対象部位に当たって、架線Ａの切断対象部位を受け部６２側に押し下げることも同時にできる。これにより、図６に示されるように、架線Ａのうち掴線器３、４間の切断対象部位を下方に湾曲させることが可能となる。
【００４５】
そして、脱落防止片７の下端部７３を受け部６２の取付孔６２５に挿入し、更に、その挿入を進めて、脱落防止片７の通孔７２を受け部６２の挿入孔６２６と一致させることにより、脱落防止片７が受け部６２と固定される。これにより、図４（ｂ）に示されるように、架線Ａは押し部材８と受け部６２の架線当接面６２１との間に介在された状態（挟持状態）となる。よって、架線Ａの掴線器３、４間の切断対象部位を切断しても、架線Ａが押し部材８に当たるので、架線Ａの縁が跳ねるのを抑制することができる。
【００４６】
ところで、伸縮器２は、これまでの実施例では、図１及び図６に示されるように、１つの軸棒により構成されるとして示してきたが、必ずしもこれに限定されない。伸縮器２が、その一部に二軸部を有する構成について図７を用いて説明する。但し、先述した伸縮器２や、その他の電線の支持及び張緩用器具１を成す支持具５等と同様の構成については、先述の伸縮器２等と同じ符号を付してその説明を省略する。
【００４７】
図７に示される伸縮器２は、軸棒２４とこの軸棒２４と同じ高さにて並行して延びる軸棒２５とにより成る二軸部を有している。軸棒２４、２５は、それぞれ軸方向に伸縮することができるように、ホルダー部２４ａ、２５ａと伸縮部２４ｂ、２５ｂとを有している。そして、軸棒２４と軸棒２５との間隔は、架線Ａの外径よりも大きくなっている。更に、軸棒２４と軸棒２５との間のスペースは、掴線器３、４に固定された架線Ａの掴線器３、４間の部位が配置される線Ｌ１上になっている。
【００４８】
これにより、架線Ａのうち掴線器３、４間の切断対象部位が下方に湾曲したときに、架線の切断対象部位は、軸棒２４、２５間に位置すると共に当該軸棒２４、２５よりも垂下した状態となる。よって、架線Ａの掴線器３、４間の切断対象部位を切断しても、架線Ａが軸棒２４、２５に当たるので、架線Ａの縁が上方に跳ねるのを抑制することができる。
【符号の説明】
【００４９】
１  電線の支持及び張緩用器具
２  伸縮器
２１１  連結部
２３３  連結部
２４  軸棒
２５  軸棒
３  掴線器
４  掴線器
５  支持具
６  引き掛け部材
６１  引き掛け部本体
６１１  基部
６１２  ヘッド
６２  受け部
６２１  架線当接面
６２２  下面
６２５  取付孔
６２６  挿入孔
７  脱落防止片
７２  通孔
８  押し部材
１１  固定具
１２  コイルバネ
Ｓ  収納空間
Ｓ１  開口部
【図１】
2017070136.tif 000003
【図２】
2017070136.tif 000004
【図３】
2017070136.tif 000005
【図４】
2017070136.tif 000006
【図５】
2017070136.tif 000007
【図６】
2017070136.tif 000008
【図７】
2017070136.tif 000009